(57)【特許請求の範囲】
【請求項１】
全体として暖房運転を行っていて、ある室内ユニットでは、室内への暖気の供給を停止させている間に、間欠的に室内ファンを運転しながらその都度室温を計測する、複数の室内ユニットを有する空気調和装置において、前記室内ファンを運転しながら行う室温計測の時間間隔を変化させる制御部を備えることを特徴とする複数の室内ユニットを有する空気調和装置。
【請求項２】
前記制御部が、暖気の供給を停止してからの室温の変化に基づいて、室温計測の時間間隔を変化させることを特徴とする請求項１記載の複数の室内ユニットを有する空気調和装置。
【請求項３】
前記制御部が、暖気の供給を停止させる時点で室温（ＴＡ１）を計測しておき、以降は室温計測の度に、計測された室温（ＴＡ２）と当初の室温（ＴＡ１）とを比較し、その差（ＴＡ２−ＴＡ１）に基づいて次回の室温計測までの時間間隔を変化させることを特徴とする請求項１または２記載の複数の室内ユニットを有する空気調和装置。
【請求項４】
前記制御部が、室温の差（ＴＡ２−ＴＡ１）に基づいて設定された時間間隔が所定の長さ以上であれば、前記室内ファンを連続的に運転して室内への暖気の供給を開始することを特徴とする請求項３記載の複数の室内ユニットを有する空気調和装置。
【請求項５】
前記制御部が、繰り返し行われる室温計測を所定の回数だけ行ったら、前記室内ファンを連続的に運転して室内への暖気の供給を開始することを特徴とする請求項１、２または３記載の複数の室内ユニットを有する空気調和装置。
【請求項６】
全体として暖房運転を行っていて、ある室内ユニットでは、室内への暖気の供給を停止させている間に、間欠的に室内ファンを運転しながらその都度室温を計測する、複数の室内ユニットを有する空気調和装置の制御方法において、
前記室内ファンを運転しながら行う室温計測の時間間隔を変化させることを特徴とする複数の室内ユニットを有する空気調和装置の制御方法。
【請求項７】
前記暖気の供給を停止してからの室温の変化に基づいて、室温計測の時間間隔を変化させることを特徴とする請求項６記載の複数の室内ユニットを有する空気調和装置の制御方法。
【請求項８】
前記暖気の供給を停止させる時点で室温（ＴＡ１）を計測しておき、以降は室温計測の度に、計測された室温（ＴＡ２）と当初の室温（ＴＡ１）とを比較し、その差（ＴＡ２−ＴＡ１）に基づいて次回の室温計測までの時間間隔を変化させることを特徴とする請求項６または７記載の複数の室内ユニットを有する空気調和装置の制御方法。
【請求項９】
前記室温の差（ＴＡ２−ＴＡ１）に基づいて設定された時間間隔が所定の長さ以上であれば、前記室内ファンを連続的に運転して室内への暖気の供給を開始することを特徴とする請求項８記載の複数の室内ユニットを有する空気調和装置の制御方法。
【請求項１０】
繰り返し行われる室温計測を所定の回数だけ行ったら、前記室内ファンを連続的に運転して室内への暖気の供給を開始することを特徴とする請求項６、７または８記載の複数の室内ユニットを有する空気調和装置の制御方法。
【請求項１１】
全体として暖房運転を行っていて、ある室内ユニットでは、室内への暖気の供給を停止させている間に、間欠的に室内ファンを運転しながらその都度室温を計測する、複数の室内ユニットを有する空気調和装置において、
暖気の供給を停止させた時点で室温（ＴＡ１）を計測しておき、室温計測の度に、計測された室温（ＴＡ２）と当初の室温（ＴＡ１）とを比較し、その差（ＴＡ２−ＴＡ１）に基づいて、前記室内ファンを連続的に運転して暖気の供給を開始するまでの時間間隔を変化させることを特徴とする複数の室内ユニットを有する空気調和装置。
【請求項１２】
全体として暖房運転を行っていて、ある室内ユニットでは、室内への暖気の供給を停止させている間に、間欠的に室内ファンを運転しながらその都度室温を計測する、複数の室内ユニットを有する空気調和装置の制御方法において、
暖気の供給を停止させた時点で室温（ＴＡ１）を計測しておき、室温計測の度に、計測された室温（ＴＡ２）と当初の室温（ＴＡ１）とを比較し、その差（ＴＡ２−ＴＡ１）に基づいて、前記室内ファンを連続的に運転して暖気の供給を開始するまでの時間間隔を変化させることを特徴とする複数の室内ユニットを有する空気調和装置の制御方法。
【発明の詳細な説明】
【０００１】
【発明の属する技術分野】
本発明は、複数の室内ユニットを有する空気調和装置、いわゆるマルチタイプ空気調和装置、およびその制御方法に関する。
【０００２】
【従来の技術】
従来のマルチタイプの空気調和装置においては、個別の室内ユニットで暖房を基本とするサーモ運転（室温を任意に設定された温度に保つ運転）を行っていて、室内への暖気の供給を中断させたとき、電子膨張弁を全閉にするのではなく、室内ユニットの熱交換器内部に冷媒が溜まり込まないように微小な開度で開いておき、僅かながらも室内熱交換器に冷媒を流すようにしている（例えば、特許文献１参照）。
【０００３】
【特許文献１】
特開平１１−３２５６３９（第４−５頁、図１）
【０００４】
【発明が解決しようとする課題】
ところで、上記の空気調和装置においては、室内ユニットに室温を計測するセンサが内蔵されているので、室温計測のためのサンプルとして室内の空気を取り入れるべく、暖気の供給を中断させている間も、室温を計測するために定期的に室内ファンを回して室温を計測している。このため、上記のごとく僅かながらも室内熱交換器に冷媒を流すようにしているため、例えば図７（ａ）に示すように、室温を計測するべく室内ファンを回すことによって室内に定期的に暖気が供給されてしまい、過剰な暖房がなされて室内に居る人に不快感を与えてしまう可能性があった。
同様の問題は、マルチタイプの空気調和装置全体で暖房運転を行っていて、個別の室内ユニットでは暖房運転を停止（室内ファンを停止することで室内への暖気の供給を停止する）させている間も、上記のようにして室内の温度を計測しようとする場合に起こる可能性がある。
【０００５】
本発明は上記の事情に鑑みてなされたものであり、マルチタイプの空気調和装置において、個別の室内ユニットで上記のような条件の下に起こり得る過暖房を解消して快適な空気調和を実現することを目的としている。
【０００６】
【課題を解決するための手段】
上記の課題を解決するための手段として、次のような構成の複数の室内ユニットを有する空気調和装置およびその制御方法を採用する。
すなわち請求項１記載の本発明は、全体として暖房運転を行っていて、ある室内ユニットでは、室内への暖気の供給を停止させている間に、間欠的に室内ファンを運転しながらその都度室温を計測する、複数の室内ユニットを有する空気調和装置において、
前記室内ファンを運転しながら行う室温計測の時間間隔を変化させる制御部を備えることを特徴とする。
【０００７】
請求項２記載の本発明は、請求項１記載の複数の室内ユニットを有する空気調和装置において、前記制御部が、暖気の供給を停止してからの室温の変化に基づいて、室温計測の時間間隔を変化させることを特徴とする。
【０００８】
請求項３記載の本発明は、請求項１または２記載の複数の室内ユニットを有する空気調和装置において、前記制御部が、暖気の供給を停止させる時点で室温（ＴＡ１）を計測しておき、以降は室温計測の度に、計測された室温（ＴＡ２）と当初の室温（ＴＡ１）とを比較し、その差（ＴＡ２−ＴＡ１）に基づいて次回の室温計測までの時間間隔を変化させることを特徴とする。
【０００９】
請求項４記載の本発明は、請求項３記載の複数の室内ユニットを有する空気調和装置において、前記制御部が、室温の差（ＴＡ２−ＴＡ１）に基づいて設定された時間間隔が所定の長さ以上であれば、前記室内ファンを連続的に運転して室内への暖気の供給を開始することを特徴とする。
【００１０】
請求項５記載の本発明は、請求項１、２または３記載の複数の室内ユニットを有する空気調和装置において、前記制御部が、繰り返し行われる室温計測を所定の回数だけ行ったら、前記室内ファンを連続的に運転して室内への暖気の供給を開始することを特徴とする。
【００１１】
請求項６記載の本発明は、全体として暖房運転を行っていて、ある室内ユニットでは、室内への暖気の供給を停止させている間に、間欠的に室内ファンを運転しながらその都度室温を計測する、複数の室内ユニットを有する空気調和装置の制御方法において、
前記室内ファンを運転しながら行う室温計測の時間間隔を変化させることを特徴とする。
【００１２】
請求項７記載の本発明は、請求項６記載の複数の室内ユニットを有する空気調和装置の制御方法において、前記暖気の供給を停止してからの室温の変化に基づいて、室温計測の時間間隔を変化させることを特徴とする。
【００１３】
請求項８記載の本発明は、請求項６または７記載の複数の室内ユニットを有する空気調和装置の制御方法において、前記暖気の供給を停止させる時点で室温（ＴＡ１）を計測しておき、以降は室温計測の度に、計測された室温（ＴＡ２）と当初の室温（ＴＡ１）とを比較し、その差（ＴＡ２−ＴＡ１）に基づいて次回の室温計測までの時間間隔を変化させることを特徴とする。
【００１４】
請求項９記載の本発明は、請求項８記載の複数の室内ユニットを有する空気調和装置の制御方法において、前記室温の差（ＴＡ２−ＴＡ１）に基づいて設定された時間間隔が所定の長さ以上であれば、前記室内ファンを連続的に運転して室内への暖気の供給を開始することを特徴とする。
【００１５】
請求項１０記載の本発明は、請求項６、７または８記載の複数の室内ユニットを有する空気調和装置の制御方法において、繰り返し行われる室温計測を所定の回数だけ行ったら、前記室内ファンを連続的に運転して室内への暖気の供給を開始することを特徴とする。
【００１６】
本発明においては、室温計測の度に、計測された室温（ＴＡ２）と暖気の供給を停止させる時点の室温（ＴＡ１）とを比較し、その差（ＴＡ２−ＴＡ１）に基づいて次回の室温計測までの時間間隔を変化させることにより、室温計測の時間間隔が広がって室内ファンの運転回数が減り、室温計測に伴う室内への意図しない暖気供給の回数が減るので、過剰な暖房がなされず、室内に居る人に不快感を与えてしまうことがない。
【００１７】
本発明においては、室温の差（ＴＡ２−ＴＡ１）に基づいて設定された時間間隔が所定の長さ以上であれば、室内ファンを連続的に運転して室内への暖気の供給を開始することにより、外乱によって室温に変化が生じたとしても、その拡大が防止される。
【００１８】
本発明においては、繰り返し行われる室温計測を所定の回数だけ行ったら、室内ファンを連続的に運転して室内への暖気の供給を開始することにより、外乱によって室温に変化が生じたとしても、その拡大が防止される。
【００１９】
請求項１１記載の本発明は、全体として暖房運転を行っていて、ある室内ユニットでは、室内への暖気の供給を停止させている間に、間欠的に室内ファンを運転しながらその都度室温を計測する、複数の室内ユニットを有する空気調和装置において、
暖気の供給を停止させた時点で室温（ＴＡ１）を計測しておき、室温計測の度に、計測された室温（ＴＡ２）と当初の室温（ＴＡ１）とを比較し、その差（ＴＡ２−ＴＡ１）に基づいて、前記室内ファンを連続的に運転して暖気の供給を開始するまでの時間間隔を変化させることを特徴とする。
【００２０】
請求項１２記載の本発明は、全体として暖房運転を行っていて、ある室内ユニットでは、室内への暖気の供給を停止させている間に、間欠的に室内ファンを運転しながらその都度室温を計測する、複数の室内ユニットを有する空気調和装置の制御方法において、
暖気の供給を停止させた時点で室温（ＴＡ１）を計測しておき、室温計測の度に、計測された室温（ＴＡ２）と当初の室温（ＴＡ１）とを比較し、その差（ＴＡ２−ＴＡ１）に基づいて、前記室内ファンを連続的に運転して暖気の供給を開始するまでの時間間隔を変化させることを特徴とする。
【００２１】
本発明においては、室温計測の度に、計測された室温（ＴＡ２）と当初の室温（ＴＡ１）とを比較し、その差（ＴＡ２−ＴＡ１）に基づいて、室内ファンを連続的に運転して暖気の供給を開始するまでの時間間隔を変化させることにより、室内ファンの停止期間がより細やかに調整されて室温計測の回数が減り、室温計測に伴う室内への意図しない暖気供給の回数が減るので、過剰な暖房がなされず、室内に居る人に不快感を与えてしまうこともない。
【００２２】
【発明の実施の形態】
本発明に係る第１の実施形態を図１および図２に示して説明する。
図１には複数の室内ユニットを有するマルチタイプの空気調和装置の概要を示す。同図において、符号１は室外ユニット、２Ａ，２Ｂ，…は室内ユニット、３は圧縮機、４は四方切換弁、５は室外熱交換器、６Ａ，６Ｂ，…は室内熱交換器、７Ａ，７Ｂ，…は電子膨張弁である。各機器は図中に実線で示す冷媒配管を介して接続されて冷凍サイクルを実現する系統を構成している。さらに、図中の符号８Ａ，８Ｂ，…は室内ファン、９Ａ，９Ｂ，…は室内温度センサ、１０は室外ファン、１１Ａ，１１Ｂ，…は制御部、１２Ａ，１２Ｂ，…は記憶部、１３Ａ，１３Ｂは入力部である。
【００２３】
圧縮機３、四方切換弁４、室外熱交換器５および室外ファン１０は室外ユニット１の内部に配置され、室内熱交換器６Ａ、電子膨張弁７Ａ、室内ファン８Ａ、室内温度センサ９Ａ、制御部１１Ａ、記憶部１２Ａおよび入力部１３Ａは室内ユニット２Ａの内部に、室内熱交換器６Ｂ、電子膨張弁７Ｂ、室内ファン８Ｂ、室内温度センサ９Ｂ、制御部１１Ｂ、記憶部１２Ｂおよび入力部１３Ｂは室内ユニット２Ｂの内部にそれぞれ配置されている（本実施形態の空気調和装置はさらに多くの室内ユニットを並列に有するが、図１では不図示）。
【００２４】
制御部１１Ａは、室内温度センサ９Ａの計測結果に基づいて電子膨張弁７Ａおよび室内ファン８Ａの駆動を制御し、記憶部１２Ａは、室内ファン８Ａの停止期間や室内温度センサ９Ａの計測結果を記憶しておくようになっている、同様に、制御部１１Ｂは、室内温度センサ９Ｂの計測結果に基づいて電子膨張弁７Ｂおよび室内ファン８Ｂの駆動を制御し、記憶部１２Ｂは、室内ファン８Ｂの停止期間や室内温度センサ９Ｂの計測結果を記憶しておくようになっている。
【００２５】
図１のように構成されたマルチタイプの空気調和装置の暖房運転時および冷房運転時の作動の仕方について説明する。
［暖房運転時］
冷媒配管を流通する冷媒は、圧縮機３で圧縮されて高温高圧のガス冷媒となり、室内ユニット２Ａ，２Ｂ，…に並行して送られ、室内熱交換器６Ａ，６Ｂ，…にそれぞれ流入する。室内熱交換器６Ａ，６Ｂ，…を流通する高温高圧のガス冷媒は、室内ファン８Ａ，８Ｂ，…によってユニット内部に取り込まれた室内の空気を加熱する。加熱された空気は暖気となって室内に供給される。室内の空気を加熱した冷媒は熱を奪われて凝縮し、高温高圧の液冷媒となり、さらに電子膨張弁７Ａ，７Ｂ，…を流通する過程で断熱膨張し、低温低圧の液冷媒となる。
【００２６】
断熱膨張した冷媒は、室外ユニット１に送られ、室外熱交換器５に流入する。室外熱交換器５を流通する低温低圧の液冷媒は、室外ファン１０によってユニット内部に取り込まれた屋外の空気に加熱され、蒸発して低温低圧のガス冷媒となり、圧縮機３に吸入されて圧縮され、以降は上記過程を繰り返すことになる。
【００２７】
［冷房運転時］
冷媒配管を流通する冷媒は、圧縮機３で圧縮されて高温高圧のガス冷媒となり、室外熱交換器５に流入する。室外熱交換器５を流通する高温高圧のガス冷媒は、室外ファン１０によってユニット内部に取り込まれた屋外の空気に熱を与え、凝縮して高温高圧の液冷媒となる。
【００２８】
凝縮した冷媒は、室内ユニット２Ａ，２Ｂ，…に並行して送られ、電子膨張弁７Ａ，７Ｂ，…を流通する過程で断熱膨張し、低温低圧の液冷媒となって室内熱交換器６Ａ，６Ｂ，…に流入する。室内熱交換器６Ａ，６Ｂ，…を流通する低温低圧の液冷媒は、室内ファン８Ａ，８Ｂ，…によってユニット内部に取り込まれた室内の空気を冷却する。冷却された空気は冷気となって室内に供給される。室内の空気を冷却した冷媒は加熱されて蒸発し、低温低圧のガス冷媒となり、圧縮機３に吸入されて圧縮され、以降は上記過程を繰り返すことになる。
【００２９】
［暖房運転における詳細制御］
以下では、空気調和装置全体として上記の暖房運転を行っていて、ある室内ユニット（ここでは２Ａ）ではサーモ運転（気温の低い時期に室内に暖気を供給することで室温を一定に保つ運転）を選択した場合に制御部（１１Ａ）によって実行される制御を、図２のフローチャートを参照して説明する。なお、以下では室内ユニット２Ａについて説明しているが、２Ｂ以下の他の室内ユニットにおいて同様の選択がなされた場合も同様の制御が行われる。
【００３０】
まず、室温その他の条件に基づいて室内への暖気供給が不要か否かを判別し（ステップ１０１）、暖気供給が必要な場合は室内ファン８Ａを運転した状態を継続しながらステップ１０１を繰り返す。暖気供給が不要な場合は制御変数ｎの初期値を１、室内ファン８Ａの停止期間ｘ（ｎ）の初期値ｘ（１）を５分に設定し（ステップ１０２）、室温（ＴＡ１）を室内温度センサ９Ａによって計測する（ステップ１０３）。さらに、室内熱交換器６Ａ内部に冷媒が溜まり込まない程度に僅かな冷媒流量を確保するべく電子膨張弁７Ａを微小開度まで絞るとともに、室内ファン８Ａを停止する（ステップ１０４）。
【００３１】
次に、室内ファン８Ａの停止からｘ（ｎ）分が経過したか否かを判別し（ステップ１０５）、ｘ（ｎ）分が経過していない場合は室内ファン８Ａを停止した状態を継続しながらステップ１０５を繰り返す。ｘ（ｎ）分が経過した場合は室内ファン８Ａを低速で運転する（ステップ１０６）。低速運転を行うのは室内に極力暖気を放出しないための配慮である。
【００３２】
次に、室内ファン８Ａの運転から２分が経過したか否かを判別し（ステップ１０７）、２分が経過していない場合は室内ファン８Ａを運転した状態を継続しながらステップ１０７を繰り返す。２分が経過した場合は室温（ＴＡ２（ｎ））を計測する（ステップ１０８）。
【００３３】
次に、室内ファン８Ａを停止した時点の室温（ＴＡ１）と現在の室温（ＴＡ２（ｎ））とを比較し（ステップ１０９）、室温（ＴＡ２（ｎ））から室温（ＴＡ１）を差し引いた温度差が１℃以上である場合は次回の室内ファン８Ａの停止期間ｘ（ｎ＋１）をｘ（ｎ）＋２に設定する（ステップ１１０）。
【００３４】
次に、新たに設定した室内ファン８Ａの停止期間ｘ（ｎ＋１）が９分以上であるか否かを判別し（ステップ１１１）、停止期間ｘ（ｎ＋１）が９分未満の場合は制御変数ｎに１を加算したうえで（ステップ１１２）、ステップ１０４に戻って上記の制御を繰り返す。停止期間ｘ（ｎ＋１）が９分以上である場合は停止期間ｘ（ｎ＋１）を９分に設定したうえで（ステップ１１３）、ステップ１１２に移行する。
【００３５】
温度差（ＴＡ２（ｎ）−ＴＡ１）が１℃未満の場合は室温その他の条件に基づいて室内への暖気供給が必要か否かを判別し（ステップ１１４）、暖気供給が不要な場合はステップ１０４に戻って上記の制御を繰り返し、暖気供給が必要な場合は電子膨張弁７Ａを開くとともに室内ファン８Ａを負荷に見合った速度で運転し、室内に暖気を供給する（ステップ１１５）。以降はステップ１０１に戻って上記の制御を繰り返す。
【００３６】
上記の制御においては、ある停止期間を経てから室温計測のために室内ファン８Ａを２分間だけ低速運転した後の室温（ＴＡ２（１））が、最初に室内ファン８Ａを停止した時点の室温（ＴＡ１）よりも１℃以上上昇していれば、次に設定すべき室内ファン８Ａの停止期間を前回より２分長く設定する（例えば図７（ｂ）参照）。これにより、室温計測の時間間隔が広がって室内ファン８Ａの運転回数が減り、室温計測に伴う室内への意図しない暖気供給の回数が減るので、過剰な暖房がなされず、室内に居る人に不快感を与えてしまうことがない。
【００３７】
また、室内ファン８Ａの停止期間が９分以上に設定されれば、室内負荷予測の観点から次に設定すべき室内ファン８Ａの停止期間を９分に設定する。例えば、室内ファン８Ａの停止期間を非常に長く設定して室内ファン８Ａを停止した直後に、室内に外気が流れ込む等して室内の環境が大きく変化して暖気の供給が必要になった場合、先に設定した室内ファン８Ａの停止期間が過ぎるまで室温計測がなされないと、その間、室内の人は不快感を感じることになり好ましくない。「室内負荷予測」とは、こういった、室内の負荷が外乱によって変化する場合を予測するということであって、上記の制御では、これを見越して室内ファン８Ａの停止期間の上限を９分にすることにより、外乱によって室温の変化が生じたとしても、その拡大を未然に防ぐことができる。
【００３８】
ところで、本実施形態においては、室内ファン８Ａの停止期間の初期値を５分に、温度差（ＴＡ２（ｎ）−ＴＡ１）のしきい値を１℃に、２回目以降に設定すべき室内ファン８Ａの停止期間の増加分を２分に、室内ファン８Ａの停止期間の上限を９分にそれぞれ設定したが、これらの値はいずれも一例であって室内ユニットに求められる仕様に応じて適切な値が設定される。また、本実施形態においては、電子膨張弁７Ａを微小開度に調節し、暖気の供給が不要な期間も室内熱交換器６Ａに僅かな冷媒流量を確保しているが、電子膨張弁７Ａと並列にキャピラリ回路を設け、電子膨張弁７Ａを全閉としてキャピラリ回路にて僅かな冷媒流量を確保するようにしてもよい。このような構成としても、上述した室内負荷予測を用いた可変時間制御を行うことにより、冷媒が流れることに起因する過暖房の影響を問題がない程度に抑えることができるからである。
【００３９】
次に、本発明の第２の実施形態を図３に示して説明する。なお、本実施形態におけるマルチタイプ空気調和装置の構成は、上記第１の実施形態と同じなので省略し、同装置に具備されるある室内ユニット（ここでは２Ａ）でサーモ運転を選択した場合に実行される制御を、図３のフローチャートを参照して説明する。
【００４０】
本実施形態において、ステップ１０１からステップ１１０まで、およびステップ１１４，１１５の処理の流れは上記第１の実施形態と同じである。
ステップ１１０において次回の室内ファン８Ａの停止期間ｘ（ｎ＋１）をｘ（ｎ）＋２に設定した後、新たに設定した室内ファン８Ａの停止期間ｘ（ｎ＋１）が１１分以上であるか否かを判別し（ステップ２０１）、停止期間ｘ（ｎ＋１）が１１分未満の場合は制御変数ｎに１を加算したうえで（ステップ２０２）、ステップ１０４に戻って上記の制御を繰り返す。停止期間ｘ（ｎ＋１）が１１分以上である場合はステップ１１５に移行し、電子膨張弁７Ａを開くとともに室内ファン８Ａを負荷に見合った速度で運転し、室内に暖気を供給する。以降はステップ１０１に戻って上記の制御を繰り返す。
【００４１】
上記の制御においては、２回目以降に設定すべき室内ファン８Ａの停止期間が１１分以上になれば、上記と同じく室内負荷予測の観点から室内に強制的に暖気を供給する。これにより、外乱によって室温の変化が生じたとしても、その拡大を未然に防ぐことができる。
【００４２】
ところで、本実施形態においては、２回目以降に設定すべき室内ファン８Ａの停止期間のしきい値を１１分に設定したが、この値は一例であって室内ユニットに求められる仕様に応じて適切な値が設定可能であることはいうまでもない。
【００４３】
次に、本発明の第３の実施形態を図４に示して説明する。なお、本実施形態におけるマルチタイプ空気調和装置の構成は、上記第１の実施形態と同じなので省略し、同装置に具備されるある室内ユニット（ここでは２Ａ）でサーモ運転を選択した場合に実行される制御を、図４のフローチャートを参照して説明する。
本実施形態において、ステップ１０１からステップ１１０まで、およびステップ１１４，１１５の処理の流れは上記第１の実施形態と同じである。
ステップ１１０において次回の室内ファン８Ａの停止期間ｘ（ｎ＋１）をｘ（ｎ）＋２に設定した後、制御変数ｎに１を加算する（ステップ３０１）。続いて、制御変数ｎが５であるか否かを判別し（ステップ３０２）、制御変数ｎが５ではない場合はステップ１０４に戻って上記の制御を繰り返す。制御変数ｎが５である場合はステップ１１５に移行し、電子膨張弁７Ａを開くとともに室内ファン８Ａを負荷に見合った速度で運転し、室内に暖気を供給する。以降はステップ１０１に戻って上記の制御を繰り返す。
【００４４】
また、ステップ１１４において暖気供給が不要な場合は、次回の室内ファン８Ａの停止期間ｘ（ｎ＋１）をｘ（ｎ）に設定し（ステップ３０３）、制御変数ｎに１を加算する（ステップ３０４）。続いて、制御変数ｎが５であるか否かを判別し（ステップ３０５）、制御変数ｎが５ではない場合はステップ１０４に戻って上記の制御を繰り返す。制御変数ｎが５である場合はステップ１１５に移行し、室内に暖気を供給する。
【００４５】
上記の制御においては、室内ファン８Ａの停止を４回繰り返したら５回目は行わず、上記と同じく室内負荷予測の観点から室内に強制的に暖気を供給する。これにより、外乱によって室温の変化が生じたとしても、その拡大を未然に防ぐことができる。
【００４６】
ところで、本実施形態においては、室温計測の回数のしきい値を４回に設定したが、この値は一例であって室内ユニットに求められる仕様に応じて適切な値が設定可能であることはいうまでもない。
【００４７】
次に、本発明の第４の実施形態を図５に示して説明する。なお、本実施形態におけるマルチタイプ空気調和装置の構成は、上記第１の実施形態と同じなので省略し、同装置に具備されるある室内ユニット（ここでは２Ａ）でサーモ運転を選択した場合に実行される制御を、図５のフローチャートを参照して説明する。
本実施形態において、ステップ１０１からステップ１０９まで、およびステップ１１４，１１５の処理の流れは上記第１の実施形態と同じである。
ステップ１０９において温度差（ＴＡ２（ｎ）−ＴＡ１）が１℃以上である場合は、再度、室内ファン８Ａを停止した時点の室温（ＴＡ１）と現在の室温（ＴＡ２（ｎ））とを比較する（ステップ４０１）。そして、温度差（ＴＡ２（ｎ）−ＴＡ１）が２℃以上ある場合は、次回の室内ファン８Ａの停止期間ｘ（ｎ＋１）をｘ（ｎ）＋５に設定し（ステップ４０２）、制御変数ｎに１を加算したうえで（ステップ４０３）、ステップ１０４に戻って上記の制御を繰り返す。温度差（ＴＡ２（ｎ）−ＴＡ１）が２℃未満である場合は、次回の室内ファン８Ａの停止期間ｘ（ｎ＋１）をｘ（ｎ）＋２に設定したうえで（ステップ４０４）、ステップ４０３に移行する。
【００４８】
上記の制御においては、室温（ＴＡ２（ｎ））から室温（ＴＡ１）を差し引いた温度差を段階的に区分けし、温度差が比較的小さい（１℃以上２℃未満）場合は室内ファン８Ａの停止期間を短めに設定し、温度差が比較的大きい（２℃以上）場合は停止期間を長めに設定する。これにより、室内ファン８Ａの停止期間がより細やかに調整されて室温計測の回数が減り、室温計測の時間間隔が広がって室内ファン８Ａの運転回数が減り、室温計測に伴う室内への意図しない暖気供給の回数が減るので、過剰な暖房がなされず、室内に居る人に不快感を与えてしまうこともない。
【００４９】
ところで、本実施形態においては、温度差（ＴＡ２（ｎ）−ＴＡ１）の２つのしきい値を１℃と２℃とにそれぞれ設定したが、これらの値はいずれも一例であって室内ユニットに求められる仕様に応じて適切な値が設定可能であることはいうまでもない。
【００５０】
次に、本発明の第５の実施形態を図６に示して説明する。なお、本実施形態におけるマルチタイプ空気調和装置の構成は、上記第１の実施形態と同じなので省略し、同装置に具備されるある室内ユニット（ここでは２Ａ）でサーモ運転を選択した場合に実行される制御を、図６のフローチャートを参照して説明する。
本実施形態において、ステップ１０１からステップ１０８までの処理の流れ、およびステップ１１５の処理は上記第１の実施形態と同じである。
ステップ１０８において室温（ＴＡ２（ｎ））を計測した後、室内ファン８Ａを停止した時点の室温（ＴＡ１）と現在の室温（ＴＡ２（ｎ））とを比較し（ステップ５０１）、温度差（ＴＡ２（ｎ）−ＴＡ１）が−１℃未満である場合はステップ１１５に移行し、温度差（ＴＡ２（ｎ）−ＴＡ１）が−１℃以上である場合は、再度、室温（ＴＡ１）と室温（ＴＡ２（ｎ））とを比較する（ステップ５０２）。
【００５１】
そして、温度差（ＴＡ２（ｎ）−ＴＡ１）が２℃以上ある場合は次回の室内ファン８Ａの停止期間ｘ（ｎ＋１）をｘ（ｎ）＋５に設定し（ステップ５０３）、室内ファン８Ａを停止する（ステップ５０４）。温度差（ＴＡ２（ｎ）−ＴＡ１）が２℃未満である場合は、次回の室内ファン８Ａの停止期間ｘ（ｎ＋１）をｘ（ｎ）＋２に設定したうえで（ステップ５０５）、ステップ５０４に移行する。
【００５２】
次に、室内ファン８Ａの停止からｘ（ｎ＋１）分が経過したか否かを判別し（ステップ５０６）、ｘ（ｎ＋１）分が経過していない場合は室内ファン８Ａを停止した状態を継続しながらステップ５０６を繰り返す。ｘ（ｎ＋１）分が経過した場合はステップ１１５に移行し、電子膨張弁７Ａを開くとともに室内ファン８Ａを負荷に見合った速度で運転し、室内に暖気を供給する。以降はステップ１０１に戻って上記の制御を繰り返す。
【００５３】
上記の制御においては、温度差（ＴＡ２（ｎ）−ＴＡ１）を段階的に範囲分けし、その値が比較的小さい（−１℃以上２℃未満）場合は室内ファン８Ａの停止期間を短めに設定し、その値が比較的大きい（２℃以上）場合は停止期間を長めに設定し、その停止期間が経過したら室内に強制的に暖気を供給する。これにより、室内ファン８Ａの停止期間がより細やかに調整されて室温計測の回数が減り、室温計測に伴う室内への意図しない暖気供給の回数が減るので、過剰な暖房がなされず、室内に居る人に不快感を与えてしまうこともない。
【００５４】
ところで、本実施形態においては、温度差（ＴＡ２（ｎ）−ＴＡ１）の２つのしきい値を−１℃と２℃とにそれぞれ設定したが、これらの値はいずれも一例であって室内ユニットに求められる仕様に応じて適切な値が設定可能であることはいうまでもない。
【００５５】
【発明の効果】
以上説明したように、本発明によれば、室温計測の度に、計測された室温（ＴＡ２）と暖気の供給を停止させる時点の室温（ＴＡ１）とを比較し、その差（ＴＡ２−ＴＡ１）に基づいて次回の室温計測までの時間間隔を変化させることにより、室温計測の時間間隔が広がって室内ファンの運転回数が減り、室温計測に伴う室内への意図しない暖気供給の回数が減るので、過剰な暖房がなされず、室内に居る人に不快感を与えてしまうことがない。これにより、快適な空気調和を実現することができる。
【００５６】
本発明によれば、室温の差（ＴＡ２−ＴＡ１）に基づいて設定された時間間隔が所定の長さ以上であれば、室内ファンを連続的に運転して室内への暖気の供給を開始することにより、外乱によって室温の変化が生じたとしても、その拡大が防止されるので、より快適な空気調和を実現することができる。
【００５７】
本発明によれば、繰り返し行われる室温計測を所定の回数だけ行ったら、室内ファンを連続的に運転して室内への暖気の供給を開始することにより、外乱によって室温に変化が生じたとしても、その拡大が防止されるので、これによってもより快適な空気調和を実現することができる。
【００５８】
本発明によれば、室温の差（ＴＡ２−ＴＡ１）に基づいて、室内ファンを連続的に運転して暖気の供給を開始するまでの時間間隔を変化させることにより、室内ファンの停止期間がより細やかに調整されて室温計測の回数が減り、室温計測に伴う室内への意図しない暖気供給の回数が減るので、過剰な暖房がなされず、室内に居る人に不快感を与えてしまうこともない。これにより、快適な空気調和を実現することができる。
【図面の簡単な説明】
【図１】  本発明の第１の実施形態を示す図であって、複数の室内ユニットを有するマルチタイプの空気調和装置を示す概念図である。
【図２】  図１の室内ユニット２Ａにて実行される制御を説明するためのフローチャートである。
【図３】  本発明の第２の実施形態を示す図であって、ある室内ユニット２Ａにて実行される制御を説明するためのフローチャートである。
【図４】  本発明の第３の実施形態を示す図であって、ある室内ユニット２Ａにて実行される制御を説明するためのフローチャートである。
【図５】  本発明の第４の実施形態を示す図であって、ある室内ユニット２Ａにて実行される制御を説明するためのフローチャートである。
【図６】  本発明の第５の実施形態を示す図であって、ある室内ユニット２Ａにて実行される制御を説明するためのフローチャートである。
【図７】  上記第１から第５の各実施形態にて説明した制御によって行われる室内ユニット各部の作動を、従来と比較して示すタイムチャートである。
【符号の説明】
１  室外ユニット
２Ａ，２Ｂ，…  室内ユニット
３  圧縮機
４  四方切換弁
５  室外熱交換器
６Ａ，６Ｂ，…  室内熱交換器
７Ａ，７Ｂ，…  電子膨張弁
８Ａ，８Ｂ，…  室内ファン
９Ａ，９Ｂ，…  室内温度センサ
１０  室外ファン
１１Ａ，１１Ｂ，…  制御部
１２Ａ，１２Ｂ，…  記憶部
【図１】
0003702264.tif 000002
【図２】
0003702264.tif 000003
【図３】
0003702264.tif 000004
【図４】
0003702264.tif 000005
【図５】
0003702264.tif 000006
【図６】
0003702264.tif 000007
【図７】
0003702264.tif 000008